(57)【要約】  【課題】組み立て製造や分岐導線との分岐接続と分離解除が確実かつ容易で、しかも一対の分岐導線を常に同時に一緒に取り扱うことができるネジ締め構造の導線圧入コネクターを実現する。  【解決手段】押さえカバー９を閉じて芯線１ａ、２ａを圧入してなる二股板８、８を収納した端子ホルダー１３、１３をハウジングＨのテーパ状収納孔１２中に収納すると共に、接続端子が外部端子３３、３３と着脱式に接続される装置において、端子ホルダー１３、１３をテーパ状収納孔１2 、１２から抜いて、二股板８、８の接続端子と外部端子３３、３３とを分離すると、端子ホルダー１３、１３と押さえカバー９、９が既設導線１、２に装着され、内部の二股板８、８に芯線１ａ、２ａが圧入されたままの状態となる。【選択図】図３
2011146310.tif 000002
【特許請求の範囲】
【請求項１】
合成樹脂製の端子ホルダー中に支持される金属製の二股板の中に被覆導線を押さえカバー及び／又はネジ締め式キャップの天井内面の加圧部で押しつけて、内部の芯線を二股部中に圧入し接続する構造のコネクターにおいて、
前記二股板の股底側と接続端子との一体化板に形成された凹部及び／又は凸部と、前記端子ホルダー側の凸部及び／又は凹部とが嵌入することによって抜け止めされていることを特徴とするネジ締め構造の導線圧入コネクター。
【請求項２】
前記の端子ホルダーは、前記接続端子の先端側に設けたヒンジ手段を支点にして開くことによって前記一体化板を挿入できるように開閉構造であって、前記一体化板の凹部及び／又は凸部と嵌入する凸部及び／又は凹部を、一対の開閉保持部の内壁に形成してあり、前記一対の開閉保持部を閉じた状態でロックするためのロック手段を有することを特徴とする請求項１に記載のネジ締め構造の導線圧入コネクター。
【請求項３】
前記の開閉保持部の上端と前記押さえカバーの一端とが余長つきのヒンジ手段を介して一体化されており、他方の開閉保持部の上端と前記押さえカバーの自由端とがワンタッチで係合して離脱不能なロック手段を設けてなることを特徴とする請求項１または請求項２に記載のネジ締め構造の導線圧入コネクター。
【請求項４】
前記回転キャップの中心又は周壁とハウジングの中心又は外周部とがネジ手段で螺合連結でき、
一対の被覆導線を圧入接続するための一対の二股板が回転キャップの回転中心を挟んで対称状態となるように、前記ハウジング中に端子ホルダーを介して挿入位置決めされると共に、それぞれの端子ホルダーの開閉保持部のロック手段側の端部同士が一体に連結されていることを特徴とする請求項１、請求項２又は請求項３に記載のネジ締め構造の導線圧入コネクター。
【請求項５】
前記端子ホルダーが挿入される収納孔は上開きのテーパ状に形成されると共に、前記接続端子と接続される外部端子は収納孔の底部に固定されており、
前記接続端子と外部端子との接続部は、着脱構造になっていることを特徴とする請求項１から請求項４中のいずれか１項に記載のネジ締め構造の導線圧入コネクター。
【請求項６】
押さえカバーを閉じて芯線を圧入してなる二股板を収納した端子ホルダーをハウジングのテーパ状収納孔中に収納すると共に、接続端子が外部端子と着脱式に接続される装置において、
端子ホルダーをテーパ状収納孔から抜いて、二股板の接続端子と外部端子とを分離すると、端子ホルダーと押さえカバーが既設導線に装着され、内部の二股板に芯線が圧入されたままの状態となる構造であることを特徴とするネジ締め構造の導線圧入コネクター。
【発明の詳細な説明】
【技術分野】
【０００１】
本考案は、一対の被覆導線に他の一対の被覆導線をそれぞれ電気的に接続する際に、ネジ締め構造を利用して、容易に被覆を破って内部の導線と電気的に確実に分岐接続可能なコネクターに関し、分岐接続を解除した場合に、コネクター部が容易に判別できる共に、安全上問題の生じない構造を実現することを目的とする。
【背景技術】
【０００２】
例えば電照菊の栽培施設において、交流電源に接続される一対の被覆導線を張りめぐらしておいて、その要所要所において、コネクターを用いて電球ソケットを分岐接続することが行われている。
このような用途において、従来の針状の尖端で既設導線の絶縁被覆を破って芯線と接続させる構造に代えて、Ｕ字状の二股板の中に被覆導線を導入して、内部の芯線をＵ字部中に圧入し接続する構造を採用することによって、電気的接続の信頼性確保が可能となる。
このように、二股板の中に被覆導線を導入し、絶縁被覆を破って芯線と接続するコネクターとして、特許文献１記載のように、一対の嘴状突出部と一体の二股状圧着部を有し、それぞれの二股状圧着部に被覆導線を圧入するための下ケースと上ケースとを前記の嘴状突出部に対し背面側のヒンジで開閉可能に一体連結した構造が提案されている。
【先行技術文献】
【特許文献】
【０００３】
【特許文献１】特許第２６２２８９４号
【発明の概要】
【発明が解決しようとする課題】
【０００４】
しかし、特許文献１記載のような構造では、絶縁被覆が軟質の場合は、二股状圧着部で容易に被覆を破って導通を確保できるが、被覆が硬かったりすると、確実に導通可能とするには、強い外力が必要となり、また多数の接続作業を長時間続行すると、作業の負担が増大するという問題が生じる。
また、既設の導線に分岐接続した電球などが不要となった場合は分岐接続部を取り外しておき、来期に再度分岐接続して再使用できるが、不用意に扱うと、分岐接続部が離脱してしまう恐れがあったり、一対の分岐導線を１本１本別々に接続したり離脱させる必要があり、取り扱いが不便でもある。
本発明の技術的課題は、このような問題に着目し、ネジ締め構造を採用することによって、硬質の絶縁被覆であっても、また大量の接続処理を続行する場合でも、特別の工具無しで容易に接続作業を可能にすると共に、組み立て製造や分岐導線との分岐接続と離脱分離が確実かつ容易で、しかも一対の分岐導線を常に同時に一緒に取り扱うことができるネジ締め構造の導線圧入コネクターを実現することにある。
【課題を解決するための手段】
【０００５】
請求項１は、合成樹脂製の端子ホルダー中に支持される金属製の二股板の中に被覆導線を押さえカバー及び／又はネジ締め式キャップの天井内面の加圧部で押しつけて、内部の芯線を二股部中に圧入し接続する構造のコネクターにおいて、
前記二股板の股底側と接続端子との一体化板に形成された凹部及び／又は凸部と、前記端子ホルダー側の凸部及び／又は凹部とが嵌入することによって抜け止めされていることを特徴とするネジ締め構造の導線圧入コネクターである。
このように、Ｕ字状の二股板の中に被覆導線を押さえカバーやネジ締め式キャップで押しつけて圧入接続する構造のコネクターにおいて、前記二股板の股底側と接続端子との一体化板の凹部及び／又は凸部と、前記端子ホルダー側の凸部及び／又は凹部とが嵌入することによって抜け止めされているため、接続端子と外部端子とを連結し接続する際に一体化板が端子ホルダーから離脱したり移動したりして、連結困難となるのを効果的に防止できる。
【０００６】
請求項２は、前記の端子ホルダーは、前記接続端子の先端側に設けたヒンジ手段を支点にして開くことによって前記一体化板を挿入できるように開閉構造であって、前記一体化板の凹部及び／又は凸部と嵌入する凸部及び／又は凹部を、一対の開閉保持部の内壁に形成してあり、前記一対の開閉保持部を閉じた状態でロックするためのロック手段を有することを特徴とする請求項１に記載のネジ締め構造の導線圧入コネクターである。
このように、前記の端子ホルダーは、前記接続端子の先端側に設けたヒンジ手段を支点にして開くことによって前記一体化板を挿入できるように開閉構造であるが、ロック手段を有するので、前記一対の開閉保持部を閉じた状態でロックすることができ、容易に開いて内部の一体化板が離脱する恐れは無い。
また、前記の一体化板の凹部及び／又は凸部と係合する凸部及び／又は凹部を、前記一対の開閉保持部の内壁に形成してあるため、開閉保持部を開いて一体化板を収納して閉じると、一体化板の凹部及び／又は凸部と開閉保持部の内面の凸部及び／又は凹部とが互いに嵌入するので、接続端子と外部端子とを連結する際の力で一体化板が離脱するような恐れは無く、容易にかつ確実に連結することができる。
【０００７】
請求項３は、前記の開閉保持部の上端と前記押さえカバーの一端とが余長つきのヒンジ手段を介して一体化されており、他方の開閉保持部の上端と前記押さえカバーの自由端とがワンタッチで係合して離脱不能なロック手段を設けてなることを特徴とする請求項１または請求項２に記載のネジ締め構造の導線圧入コネクターである。
このように、前記の開閉保持部の上端と前記押さえカバーとがヒンジ手段を介して一体化されているので、押さえカバーの開閉操作が容易である。また、他方の開閉保持部の上端と前記押さえカバーの自由端とがワンタッチで係合して離脱不能なロック手段を設けてあるので、押さえカバーを一旦手で閉じると、容易に開くことがなく、続いてキャップを締め付けるなどの操作が容易になる。
【０００８】
請求項４は、前記回転キャップの中心又は周壁とハウジングの中心又は外周部とがネジ手段で螺合連結でき、
一対の被覆導線を圧入接続するための一対の二股板が回転キャップの回転中心を挟んで対称状態となるように、前記ハウジング中に端子ホルダーを介して挿入位置決めされると共に、それぞれの端子ホルダーの開閉保持部のロック手段側の端部同士が一体に連結されていることを特徴とする請求項１、請求項２又は請求項３に記載のネジ締め構造の導線圧入コネクターである。
このように、前記回転キャップの中心又は周壁と前記ハウジングの中心又は外周部とがネジ手段で螺合連結できるため、一対の被覆導線を二股板中に圧入するための加圧力をネジ手段で容易にかつ確実に得ることができる。
また、一対の被覆導線を圧入接続するための一対の二股板が回転キャップの回転中心を挟んで対称状態となるように、前記ハウジング中に端子ホルダーを介して挿入位置決めされると共に、一対の開閉保持部のロック手段側の端部同士が一体に連結されているため、一対の端子ホルダー同士を一体化して、部品点数をより削減でき、組立て作業も簡便になる。
【０００９】
請求項５は、前記端子ホルダーが挿入される収納孔は上開きのテーパ状に形成されると共に、前記接続端子と接続される外部端子は収納孔の底部に固定されており、
前記接続端子と外部端子との接続部は、着脱構造になっていることを特徴とする請求項１から請求項４中のいずれか１項に記載のネジ締め構造の導線圧入コネクターである。
このように、前記端子ホルダーが挿入される収納孔は上開きのテーパ状に形成されているので、端子ホルダーの装着が容易で、また、前記接続端子と接続される外部端子は収納孔の底部に固定されているので、二股板と一体の接続端子との連結接続作業が容易になり、かつ一対の分岐導線を常に同時に一緒に取り扱うことができる。しかも、前記接続端子と外部端子との接続部は、着脱構造になっているので、分岐接続部に導線圧入コネクターを使用後は、接続端子と外部端子を着脱構造部から離脱分離して、端子ホルダーを既設導線側に装着したままで保管しておき、来期に再使用することができる。
【００１０】
請求項６は、押さえカバーを閉じて芯線を圧入してなる二股板を収納した端子ホルダーをハウジングのテーパ状収納孔中に収納すると共に、接続端子が外部端子と着脱式に接続される装置において、
端子ホルダーをテーパ状収納孔から抜いて、二股板の接続端子と外部端子とを分離すると、端子ホルダーと押さえカバーが既設導線に装着され、内部の二股板に芯線が圧入されたままの状態となる構造であることを特徴とするネジ締め構造の導線圧入コネクターである。
このように、押さえカバーを閉じて芯線を圧入してなる二股板を収納した端子ホルダーをハウジングのテーパ状収納孔中に収納すると共に、接続端子が外部端子と着脱式に接続される装置において、
電照菊などの照明が不要になると、請求項６のように、端子ホルダーをテーパ状収納孔から抜いて、二股板の接続端子と外部端子とを分離し、照明電球を既設の配線から取り外すことができる。この場合、端子ホルダーと押さえカバーが既設導線に装着され、内部の二股板に芯線が圧入されたままの状態にできるので、二股板と芯線との接続部は、合成樹脂製の端子ホルダーと押さえカバーによって覆われたままであるから、安全上何ら問題は生じない。また、端子ホルダーと押さえカバーが既設導線に装着されたままであるから、分岐接続部が容易に判別でき、その後に再使用する場合に簡便である。
【発明の効果】
【００１１】
請求項１のように、二股板の股底側と接続端子との一体化板の凹部及び／又は凸部と、前記ホルダー側の凸部及び／又は凹部とが互いに嵌入することによって抜け止めされているため、接続端子と外部端子とを連結し接続する際に一体化板が端子ホルダーから離脱したり移動したりして、連結困難となるのを効果的に防止できる。
【００１２】
請求項２のように、前記端子ホルダーは、前記接続端子の先端側に設けたヒンジ手段を支点にして開くことによって前記一体化板を挿入できるように開閉構造であるが、ロック手段を有するので、前記一対の開閉保持部を閉じた状態でロックすることができ、容易に開いて内部の一体化板が離脱する恐れは無い。
また、前記一対の開閉保持部の内壁に凸部及び／又は凹部を形成してあるため、開閉保持部を開いて一体化板を収納して閉じると、一体化板の凹部及び／又は凸部と開閉保持部の内面の凸部及び／又は凹部とが互いに嵌入するので、接続端子と外部端子とを連結する際の力で一体化板が離脱するような恐れは無く、容易にかつ確実に連結することができる。
【００１３】
請求項３のように、前記の開閉保持部の上端と前記押さえカバーとがヒンジ手段を介して一体化されているので、押さえカバーの開閉操作が容易である。また、他方の開閉保持部の上端と前記押さえカバーの自由端とがワンタッチで係合して離脱不能なロック手段を設けてあるので、押さえカバーを一旦手で閉じると、容易に開くことがなく、続いてキャップを締め付けるなどの操作が容易になる。
【００１４】
請求項４のように、前記回転キャップの中心又は周壁と前記ハウジングの中心又は外周部とがネジ手段で螺合連結できるため、一対の被覆導線を二股板中に圧入するための加圧力をネジ手段で容易にかつ確実に得ることができる。
また、一対の開閉保持部のロック手段側の端部同士が一体に連結されているため、一対の端子ホルダー同士を一体化して、部品点数をより削減でき、組立て作業も簡便になる。
【００１５】
請求項５のように、前記端子ホルダーが挿入される収納孔は上開きのテーパ状に形成されているので、端子ホルダーの装着が容易で、また、前記接続端子と接続される外部端子は収納孔の底部に固定されているので、二股板と一体の接続端子との連結接続作業が容易になり、かつ一対の分岐導線を常に同時に一緒に取り扱うことができる。しかも、前記接続端子と外部端子との接続部は、着脱構造になっているので、分岐接続部に導線圧入コネクターを使用後は、接続端子と外部端子を着脱構造部から離脱分離して、端子ホルダーを既設導線側に装着したままで保管しておき、来期に再使用することができる。
【００１６】
電照菊などの照明が不要になると、請求項６のように、端子ホルダーをハウジングのテーパ状収納孔から抜いて、二股板の接続端子と外部端子とを分離し、照明電球を既設の配線から取り外すことができる。この場合、端子ホルダーと押さえカバーが既設導線に装着され、内部の二股板に芯線が圧入されたままの状態にできるので、二股板と芯線との接続部は、合成樹脂製の端子ホルダーと押さえカバーによって覆われたままであるから、安全上何ら問題は生じない。また、端子ホルダーと押さえカバーが既設導線に装着されたままであるから、分岐接続部が容易に判別でき、その後に再使用する場合に簡便である。
【図面の簡単な説明】
【００１７】
【図１】本発明によるネジ締め式導線圧入コネクターの外観斜視図である。
【図２】図１のコネクターのキャップを開けた状態の縦断面図である。
【図３】図２のコネクターのキャップを閉じた状態の縦断面図である。
【図４】コネクター内部の分解斜視図である。
【図５】図４の端子ホルダーを組み込んだ状態の斜視図である。
【図６】図５のコネクターに一対の既設導線をセットした状態の斜視図である。
【図７】図６の押さえカバーを閉じた状態の斜視図である。
【図８】図４の二股板を収納する端子ホルダーの展開状態を示す斜視図である。
【図９】図８の端子ホルダーの左側の開閉保持部を閉じた状態の斜視図である。
【図１０】単一の二股板を挟持するシングルタイプの端子ホルダーの部分断面斜視図である。
【図１１】左右一対の端子ホルダーの一体化構造を例示する斜視図である。
【図１２】ハウジングの収納孔への端子ホルダー収納構造を例示する部分断面斜視図である。
【図１３】図１２の端子ホルダーの収納状態を例示する部分断面斜視図である。
【図１４】スリット式挟持構造を採った着脱連結部の正面図である。
【発明を実施するための形態】
【００１８】
次に本発明によるネジ締め構造の導線圧入コネクターが実際上どのように具体化されるか実施形態を詳述する。図１は、本発明によるネジ締め構造の導線圧入コネクターの全容を示す外観斜視図であり、合成樹脂製のハウジングＨ上に一対の導線１、２をセットした状態で、上からネジ締め式の合成樹脂製キャップｃを被せるようにして締め付けることで、導線１、２の芯線１ａ、２ａがハウジング中の接続端子を介して、外部端子に接続された分岐導線３、４の芯線３ａ、４ａと電気的に接続され、導通可能となる。
【００１９】
図２は、図１のハウジングＨにキャップｃを装着する前の状態の縦断面図で、ハウジングＨの中心位置にモールド固定され、立っているオネジ棒５を、キャップｃの中心に形成されているメネジ孔６中に挿入し、キャップｃを回すことで、図３のように、キャップｃがハウジングＨ上に被さるようにして、装着される。
図２のＵ字状の二股凹部７が形成された一対の二股板８・８が、オネジ棒５を挟んでハウジングＨ側に装着されており、二股凹部７・７の開口に一対の導線１、２を位置決めし、押さえカバー９・９を被せた状態で、キャップｃをネジ締めすると、キャップｃの天井部内面の凸リング状部１０によって、図３のように押さえカバー９を加圧して、芯線１ａ、２ａを二股凹部７・７中に圧入すると、絶縁被服１ｂ、２ｂが二股板８、８で破られて、内部の芯線１ａ、２ａが二股凹部７、７に圧入されて機械的に連結され、かつ電気的に導通可能となる。
【００２０】
以上のネジ締め構造は、中心に立っているオネジ棒５をキャップ側のメネジ孔６中に挿入して締め付ける構造であるが、図３の螺合部１１のように、キャップ周壁内面のメネジ部１１ａにハウジング外周のオネジ部１１ｂを挿入しねじ込む構造を採用することによって、前記のオネジ棒５とメネジ孔６による締め付け手段を省くこともできる。
【００２１】
図４〜図７は、図２、図３に示す導線圧入構造の詳細を順次示す斜視図で、図７は図２のように、導線１、２が一対の二股板８、８の二股凹部７、７中に圧入される前の状態である。
先ず、図４のように、合成樹脂でモールド成型されているハウジングＨにおいて、オネジ棒５を挟んで対称位置に形成されている一対の収納孔１２、１２中に挿入される端子ホルダー１３、１３は、下端のヒンジ部ｈ１、ｈ２を支点にして開いた状態で、二股板８、８が挿入されている。
図４〜図７の二股板８、８は、電気的接続の信頼性確保目的でダブル構造を採っているが、図８以降のようなシングル構造も可能である。
【００２２】
図４において、二股板８、８が装着された端子ホルダー１３、１３の上端面は、導線１、２を受ける前後両側の凹曲面１４、１４の上側に左右一対の平坦面１５、１５が形成されている。そして、外側の平坦面１５の外側端に一体形成された連結兼用の余長つきのヒンジ部１６、１６を介して、押さえカバー９、９の基端が一体形成されている。
中心寄りの平坦面１５、１５の中心寄りの内端に立っている板状部の上端には、押さえカバー引っ掛け用の爪１７、１７がフック状に外向きに形成されている。
前記の押さえカバー９、９の前記ヒンジ部１６、１６と反対側の自由端には、両側に形成した延長アーム１８、１８の先端同士を連結するブリッジ部１９、１９と爪挿入孔２０、２０が形成されている。
【００２３】
ハウジングＨの左右一対の収納孔１２、１２中に前記の端子ホルダー１３、１３を挿入すると、図５のように、前記の導線受け用の凹曲面１４、１４が、ハウジング上面の導線ガイド溝２１、２１と方向が一致する。その結果、ダブルの二股板８、８の二股凹部７、７と、二股板８、８間並びに二股板８、８の前後両側の前記凹曲面１４、１４と、端子ホルダーの前後両側の導線ガイド溝２１、２１とが、一直線状に揃うため、図６のように一対の導線１、２を挿入し、図７のように圧入することができる。
こうして導線１、２を挿入し位置合わせした状態で、押さえカバー９、９をヒンジ部１６、１６を支点にして手で押して閉じると、押さえカバー９、９が導線１、２の上に被さった状態となり、最終的に、図７のように、図４のフック爪１７、１７が爪挿入孔２０、２０を貫通して、ブリッジ部１９、１９に爪１７、１７が内側からフック状に引っ掛かる。その結果、押さえカバー９、９は開放不可能となる。
【００２４】
このようにして、押さえカバー９、９を閉じた状態では、押さえカバー９、９の内面に形成された凹曲面９１、９１と二股板８、８の二股凹部７、７のＶ字状開口部７１、７１中に導線１、２の絶縁被覆１ｂ、２ｂが収納された状態となり、半円状に折り曲げ可能とするための余長のついたヒンジ部１６、１６は未だ立った状態である。
こうして押さえカバー９、９を手で閉じて、導線１、２をセットした状態で、図２のようにキャップｃを被せて、そのメネジ孔６中にハウジング側のオネジ棒５を挿入して、キャップｃを回して締め付けると、図２の状態から図３の状態となり、導線１、２の芯線１ａ、２ａが二股凹部７、７中に圧入され、電気的に接続される。
つまり、キャップｃの天井面の凸リング状部１０によって、押さえカバー９、９の上面を押した状態でネジ締めされるので、芯線１ａ、２ａが二股凹部７、７中に圧入される。その結果、芯線１ａ、２ａが二股凹部７、７中に押し込まれると共に、前記のＶ字状開口部７１、７１と二股凹部７、７間の角部で絶縁被覆１ｂ、２ｂを破って切り込み、更に圧入されると、芯線１ａ、２ａが二股凹部７、７の底部側まで圧入されると共に、Ｖ字状開口部７１、７１を絶縁被覆１ｂ、２ｂが通過すると、二股凹部７、７の内端縁が芯線１ａ、２ａと圧接した状態となり、電気的に導通される。なお、「芯線１ａ、２ａの外径Ｄ＞二股凹部７、７の間隔Ｗ」であることは言うまでもない。
【００２５】
このように芯線１ａ、２ａが二股凹部７、７の底部まで圧入されると、図２、図４〜図６のように立った状態のヒンジ部１６、１６は、図３のように余長部が半円状に押し曲げられると共に、ブリッジ部１９、１９は、前記引っ掛け爪１７、１７から下降し、引っ掛かりが解除された状態となる。また、二股板８、８の上部は、図４、図５の押さえカバー凹曲面９１、９１の深溝９２、９２中に挿入されて、図３の破線のように収納される。
なお、押さえカバー凹曲面９１、９１内面に形成されている蒲鉾状の小突起９３、９３は、図３のように導線１、２の絶縁被覆１ｂ、２ｂに食い込んで、芯線１ａ、２ａを二股凹部７、７中に確実に圧入可能とするためである。
【００２６】
図８は、図４の二股板８を収納する端子ホルダー１３の詳細を示す斜視図で、下端のヒンジ部ｈ１、ｈ２で開いた状態である。ダブル構造の二股板８、８から下側に延びた接続端子８２、８２の下端は、直角に曲がった四角底板部８３を介して一体化されている。そして、接続端子８２、８２には、Ω字状の切除部８４（８４）を形成して、下端の開口端と同じ寸法のスリットを前記四角底板部８３に形成して、外部端子の挿入口にしてある。
前記の接続端子８２の下端の幅Ａとほぼ同じ幅のヒンジ板２２は、外部端子の貫通スリットｓを開けると共に、左右両端のとヒンジ部ｈ１、ｈ２を介して左右一対の開閉保持部２３、２３が一体化されている。つまり、このヒンジ部ｈ１、ｈ２の部分だけ、容易に曲げられるように薄肉になっている。そして、両開閉保持部２３、２３の上端に、前後一対の凹曲面１４、１４と平坦面１５、１５が形成されている。
【００２７】
一対の開閉保持部２３、２３の内面には、ダブル構造の二股板８、８の間隔保持を兼ねるスペーサ凸部２４、２４が一体形成されている。また、二股板８、８を挟むように、スペーサ凸部２４、２４と同じ形状の凸部２４、２４と、凹曲面１４、１４並びに平坦面１５、１５が前後両側にも形成されている。
接続端子８２、８２は凸円弧状２５、２５に膨出し、この膨出部２５、２５と二股板８、８との間の部分は、逆に凹円弧状２６、２６に引っ込んでいる。これに対し、開閉保持部２３、２３の前記凸部２４・２４間の挟持溝部ｇの底部は、溝底の断面形状を斜線で示すように、前記の凹円弧状部２６、２６に嵌入できるように凸円弧状に形成されており、しかも、接続端子８２、８２の前記凸円弧状部２５、２５が嵌入できるように凹円弧状に形成されている。
【００２８】
図９に示すように、一対の開閉保持部２３、２３を閉じた際に互いにロックされるように、片方の開閉保持部２３の両端には、接続端子８２、８２と平行な側板部２７、２７を形成して、その先端に係合爪２８、２８を形成してある。
これに対し、他方の開閉保持部２３の両端には、前記の平行側板部２７、２７より外側において、平行側板部２９、２９を形成すると共に、前記係合爪２８、２８が入る嵌入窓孔３０を形成してある。
従って、図８のヒンジ板２２の上に四角底板部８３を重ねて、左側のヒンジ部ｈ１を支点にして左側の開閉保持部２３を立てると、図９のように、前記凸部２４・２４間の挟持溝ｇに一対の二股板８、８の左半分が嵌入して、安定保持される。次いで、右側のヒンジ部ｈ２を支点にして、右側の開閉保持部２３を立てて閉じると、前記の平行側板部２９、２９の嵌入窓孔３０、３０中に、左側の開閉保持部２３両端の平行側板部２７、２７先端の係合爪２８、２８が嵌入して、引っ掛かるため、以後は一対の開閉保持部２３、２３が開放不可能となり、図４のようにロック状態となる。
この状態では、右側の凸部２４・２４間の挟持溝ｇに一対の二股板８、８の右半分が嵌入して、安定保持され、図４の状態となる。
【００２９】
以上は、一対の導線用の一対の二股板８、８が、２枚の二股板８、８からなるダブルタイプであるのに対し、図１０以下はシングルタイプである。シングルタイプの場合は、単一の二股板８を挟持すれば足りるので、凸部２４・２４間の挟持溝ｇも単一で足り、四角底板部８３も不要である。その結果、二股板８を保持する端子ホルダー１３の幅方向の寸法が狭くなるだけで、その他の構成は基本的に共通している。
図１０のシングルタイプの端子ホルダーも、図４のように左右一対の状態で使用することは当然だが、図１１のように、左右一対の端子ホルダー１３、１３を連結して一体化することもできる。この場合、開閉保持部２３上端の引っ掛け爪１７、１７側の平坦面１５、１５の前後両側同士を連結ブリッジ３１、３１で連結し、一体化してある。使用に際しては、両方の連結ブリッジ３１、３１間の窓孔部３６をオネジ棒５が貫通するようにして、ハウジングＨ側に装着することになる。
【００３０】
前記一対の端子ホルダー１３、１３は、図１２のようなハウジングＨの収納孔１２、１２中に挿入すると、収納孔１２の底部３２にモールド固定されている外部端子３３、３３と係合連結されるので、容易に離脱する恐れはない。
板状の外部端子３３は、端子ホルダー１３中の二股板８の板面と直交するように９０度ずらした状態で収納孔底部３２に固定されており、しかも端子板面に貫通孔３４を開けてあるので、端子ホルダー１３を収納孔１２中に挿入すると、外部端子３３は、ヒンジ板２２の貫通スリットｓを通過して、接続端子８２の前記Ω字状の切除部８４中に強引に挿入される結果、図１３のように、外部端子３３の貫通孔３４中に、Ω字状の切除部８４のラッパ状開口端との間の凸円弧状の狭小部３５が嵌入して、容易に離脱不能に連結される。
前記狭小部３５の隙間間隔よりも、外部端子３３の板厚が大きいことは言うまでもない。また、外部端子３３の先端を逆Ｖ字状に尖らしておくと、Ω字状の切除部８４の開口端をラッパ状に開かなくても、容易にΩ字状切除部８４中に挿入できる。
外部端子３３には、分岐導線３、４の芯線３ａ、４ａを接続してあり、しかも図示例ではこの接続部が収納孔底部３２の合成樹脂中に埋め込まれた構造になっている。
以上のように端子ホルダー１３と押さえカバー９は一体成型されるが、連結兼用のヒンジ部１６や薄肉のヒンジ部ｈ１、ｈ２で折り曲げ可能な程度に軟質の合成樹脂材を用いる必要がある。
【００３１】
図１２、図１３の接続端子のΩ字状切除部８４や貫通孔３４開き外部端子３３に代えて、図１４のような挟持構造の着脱連結も可能である。図１４において、Ω字状切除部８４に代えて、外部端子３３の板圧ｔよりも隙間ａがわずかに狭いスリット３７を接続端子８２に設けてあり、その中に外部端子３３を挿入すると、外部端子３３がスリット３７中で挟持される。その結果、収納孔１２中から端子ホルダー１３を抜くと、スリット３７による挟持力に抗して、外部端子３３は挟持スリット３７から抜けるので、連結状態が離脱分離される。
スリット３７の内奥の部分は、挟持スリット３７の隙間ａよりもわずかに大きくすると、スリット３７によって外部端子３３を挟持する際の弾性変形が容易になる。なお、スリット３７の開口部は逆Ｖ字状に拡げて、外部端子３３を挿入し易くしてある。
接続端子８２には、図８の円弧状凹部２６、２６に代えて、逆台形状の凹部２６’、２６’を設けてある。この逆台形状の凹部２６’、２６’に代えて、台形状の凸部を外部端子８２の両側に設けてもよい。この場合、端子ホルダーの一対の開閉保持部２３、２３の内面には、前記の逆台形状の凹部２６’、２６’や台形状の凸部とは逆に台形状の凸部や逆台形状の凹部を設けることになる。
図示例とは逆に、前記外部端子３３側にΩ字状切除部８４やスリット３７を設け、接続端子８２側を挿入して挟持させる構造でもよい。
【００３２】
電照菊などの栽培施設において、照明用の電球は分岐導線３、４に接続するが、電照期間が終わると、栽培施設の配線を撤去して、来期の電照栽培のために保管しておく。本発明の場合、押さえカバーを閉じて既設導線の芯線を圧入してなる二股板を収納した端子ホルダーは、ハウジングのテーパ状収納孔中に挿入するので、着脱式に接続された接続端子と外部端子とを分離すると共に端子ホルダーをテーパ状収納孔から抜き出すと、端子ホルダーと押さえカバーが既設導線に装着され、内部の二股板に芯線が圧入されたままの状態となる。その結果、安全上何ら問題は無く、来期の電照栽培に当たって、端子ホルダーをハウジングのテーパ状収納孔に挿入して、接続端子を外部端子と連結接続すれば、何度も繰り返し使用できる。
なお、このように図１、図２の分岐導線３、４でソケット付き電球などを分岐接続するため、その重みで常に分岐導線３、４側が下向きの姿勢になるので、図１、図３のようにキャップｃを被せた状態で導線ガイド溝２１、２１から雨水が進入する恐れはない。
【産業上の利用可能性】
【００３３】
以上のように、本発明によると、金属製の二股板の中に被覆導線を押さえカバーやネジ締め式キャップで押しつけて圧入接続する構造のコネクターにおいて、前記二股板と接続端子との一体化板の凹部及び／又は凸部と、端子ホルダー内面の凸部及び／又は凹部とが嵌入することによって抜け止めされているため、接続端子と外部端子とを連結し接続する際に一体化板が端子ホルダーから離脱したり移動したりして、連結困難となるのを効果的に防止できる。
また、端子ホルダーをハウジングの収納孔から抜き出すと共に、外部端子との連結を分離すると、端子ホルダーと押さえカバーが既設の導線に装着されたままの状態で保管しておいて、来期に再使用することが可能となる。
【符号の説明】
【００３４】
Ｈ  ハウジング
１・２  一対の導線
ｃ  キャップ
３・４  外部導線
７  二股凹部
８  二股板
９  押さえカバー
１０  押圧部（凸リング状部）
１２  端子ホルダー収納孔
１３  端子ホルダー
ｈ１・ｈ２  薄肉のヒンジ部
１６  ヒンジ部
１７  引っ掛け用の爪
２１  導線ガイド溝
７１  Ｖ字状開口部
８２  接続端子
８３  四角底板部
８４  Ω字状の切除部
２３  開閉保持部
２４  凸部
２６  凹円弧状部
ｇ  挟持溝部
２７  側板部
２８  係合爪
２９  平行側板部
３１  連結ブリッジ
３３  外部端子
３４  貫通孔
３５  狭小部
【図１】
2011146310.tif 000003
【図２】
2011146310.tif 000004
【図３】
2011146310.tif 000005
【図４】
2011146310.tif 000006
【図５】
2011146310.tif 000007
【図６】
2011146310.tif 000008
【図７】
2011146310.tif 000009
【図８】
2011146310.tif 000010
【図９】
2011146310.tif 000011
【図１０】
2011146310.tif 000012
【図１１】
2011146310.tif 000013
【図１２】
2011146310.tif 000014
【図１３】
2011146310.tif 000015
【図１４】
2011146310.tif 000016